(57)【特許請求の範囲】
【請求項１】
利用者が携帯する携帯機と無線通信を行う無線通信部と、
前記無線通信部により前記携帯機と通信した無線信号に基づいて前記携帯機の認証を行う認証部と、
前記利用者の所定動作を検出する動作検出センサと、
前記動作検出センサが前記所定動作を検出し、かつ前記認証部による前記携帯機の認証が成功すると、車両に搭載された車載装置を制御する制御部と、を備えた車両制御装置において、
前記制御部は、
前記動作検出センサが前記所定動作を検出しても、所定時間内に前記認証部による前記携帯機の認証が成功しなければ、前記動作検出センサで検出された前記所定動作を無視し、
前記無視した前記所定動作の検出回数が所定回数に達すると、前記動作検出センサを無効化し、
前記動作検出センサを無効化した後、他の車載装置の制御のために前記認証部による前記携帯機の認証が成功すると、前記動作検出センサを有効化する、ことを特徴とする車両制御装置。
【請求項２】
請求項１に記載の車両制御装置において、
前記制御部は、前記動作検出センサを無効化するとともに、前記動作検出センサによる前記所定動作の検出に伴って行われていた、前記無線通信部の無線通信動作と前記認証部の認証動作とを停止する、ことを特徴とする車両制御装置。
【請求項３】
請求項１または請求項２に記載の車両制御装置において、
前記制御部は、前記動作検出センサを無効化した後、前記他の車載装置の制御のための前記認証が成功することなく、所定の無効化時間が経過すると、前記動作検出センサを有効化する、ことを特徴とする車両制御装置。
【請求項４】
請求項１ないし請求項３のいずれかに記載の車両制御装置において、
無視された前記所定動作の検出回数が所定回数に達すると警告を行う警告部をさらに備えた、ことを特徴とする車両制御装置。
【請求項５】
請求項１ないし請求項４のいずれかに記載の車両制御装置において、
前記制御部は、前記無視した前記所定動作の検出回数が前記所定回数に達するまでの経過時間を計測し、該経過時間に応じて前記動作検出センサを無効化する無効化時間を設定する、ことを特徴とする車両制御装置。
【請求項６】
請求項１ないし請求項５のいずれかに記載の車両制御装置において、
前記動作検出センサは、前記車両のドアの外側下方に設置され、前記利用者の足部の所定動作を非接触で検出し、
前記制御部は、前記車載装置として、前記車両のドアを開閉するためのドア開閉装置を制御する、ことを特徴とする車両制御装置。
【発明の詳細な説明】
【技術分野】
【０００１】
本発明は、利用者が携帯する携帯機の認証結果と、利用者の所定動作を検出する動作検出センサの検出結果とに基づいて、車載装置を制御する車両制御装置に関する。
【背景技術】
【０００２】
車両の防犯性と利用者の利便性などを向上するため、利用者が携帯する携帯機に対して無線信号を送受信し、該無線信号に基づいて車載装置を制御する車両制御装置がある（たとえば、特許文献１、２）。
【０００３】
特許文献１、２では、ドアハンドルへの利用者の接触をセンサ（またはスイッチ）により検出すると、車両制御装置が携帯機へ応答要求信号を間欠的に送信する。応答要求信号が携帯機で受信されると、携帯機が応答信号を返信する。車両制御装置は、携帯機から返信された応答信号を受信すると、該応答信号に含まれる携帯機のＩＤコードと、予め記憶された車両のＩＤコードとを照合する。そして、両ＩＤコードが一致すると、車両制御装置は、携帯機の認証が成功したと判断し、ドアロック装置を制御して、ドアを施錠・解錠したり、スタータモータを駆動して、エンジンを始動したりする。
【０００４】
また、上記の携帯機の認証結果と、利用者の所定動作（ジェスチャ）を検出する動作検出センサの検出結果とに基づいて、別の車載装置を制御する車両制御装置もある（たとえば、特許文献３）。
【０００５】
特許文献３では、動作検出センサとして、車両の下部のドア近傍に足部検出センサが設置されている。足部検出センサは、電波または赤外線の信号を車両下方に発信していて、利用者の足などが車体と地面との間に入れられる動作を検出する。そして、足部検出センサにより利用者の足部の動作が検出され、かつ前述した携帯機の認証が成功すると、車両制御装置がドア開閉装置を制御して、ドアを開作動・閉作動する。これにより、利用者が手で携帯機の操作やドアハンドルへの接触を行わなくても、ドアが開いたり閉じたりして、車両に対する乗車や降車が可能になるので、利用者の利便性が一層向上される。
【０００６】
ところで、車両制御装置と携帯機との間で無線信号を中継可能な中継器を用いて、遠方にある携帯機が車両の近傍にあるかのように偽装する不正な通信行為が行われることがある。この不正な通信行為は、リレーアタックと呼ばれている。リレーアタックにより、車両の所有者でない第三者が、車両のドアの解錠もしくは開放、またはエンジンの始動を行い、窃盗などの犯罪を行うおそれがある。
【０００７】
そこで、リレーアタックの対策として、特許文献１では、車両制御装置において、携帯機の認証が成功しなかったドアハンドルの接触回数が所定数以上になると、リレーアタックとみなして、操作を無効化する処理が行われる。この操作無効化処理により、ドアハンドルへの接触を検出しても、応答要求信号が携帯機へ送信されないので、ドアが解錠されることはない。
【０００８】
また、利用者の接触を検出するセンサなどは、ドアハンドルの近傍で露出しているため、第三者のイタズラによっても作動するおそれがある。この場合でも、車両制御装置から携帯機へ応答要求信号が送信されるため、電源である車両のバッテリの電力を無駄に消費してしまう。
【０００９】
そこで、イタズラの対策として、特許文献２では、車両制御装置において、携帯機のＩＤコードと車両のＩＤコードの不一致が所定時間内に所定回数検出されると、ホーンにより警告が行われ、携帯機への応答要求信号の送信が一定時間禁止される。
【００１０】
一方、特許文献３では、消費電力の低減対策として、車両制御装置において、応答要求信号の間欠的な送信中に、携帯機の認証に成功すると、動作検出センサを作動可能な状態にし、一定時間が経過すると、応答要求信号の間欠的な送信を停止する。
【００１１】
ところで、利用者の所定動作を検出する動作検出センサにあっては、動きを伴う動作を確実に検出するために、その検出範囲を広くしなければならないので、たとえばドアハンドルへの接触を検出するセンサのような、近距離で検出対象を検出するセンサに比べて、消費電力が大きくなる。
【００１２】
また、動作検出センサは、リレーアタックやイタズラのような、第三者が意図して行う動作によって作動するばかりでなく、検出範囲が広いことから、第三者が意図しないで行う動作によっても作動することがある。たとえば、特許文献３のような足部検出センサの場合、悪意の第三者がリレーアタックやイタズラを目的として、意図的に車体と地面との間に足を入れた場合のほか、悪意でない第三者や正規の利用者が、車両の脇を通過する際や、車両の洗車・整備を行う際などに、たまたま車体と地面との間に足を無意識で入れてしまった場合も、足部検出センサは足の動作を検出する。
【００１３】
このように、動作検出センサは、リレーアタックやイタズラのような意図的な動作だけでなく、意図しない動作によっても作動するので、いずれの場合も、無駄に電力が消費されてしまうとともに、動作検出センサの作動により無線通信部や認証部も作動するので、これらにおいても無駄に電力が消費されてしまう。
【先行技術文献】
【特許文献】
【００１４】
【特許文献１】特開２０１２−３６５８２号公報
【特許文献２】特開平７−１８９５３８号公報
【特許文献３】特開２００５−１３３５２９号公報
【発明の概要】
【発明が解決しようとする課題】
【００１５】
本発明の課題は、動作検出センサに対して、意図した動作と意図しない動作のいずれが行われた場合でも、無駄に消費される電力を低減することができる車両制御装置を提供することである。
【課題を解決するための手段】
【００１６】
本発明による車両制御装置は、利用者が携帯する携帯機と無線通信を行う無線通信部と、無線通信部により携帯機と通信した無線信号に基づいて携帯機の認証を行う認証部と、利用者の所定動作を検出する動作検出センサと、動作検出センサが所定動作を検出し、かつ認証部による携帯機の認証が成功すると、車両に搭載された車載装置を制御する制御部とを備える。そして、制御部は、動作検出センサが所定動作を検出しても、所定時間内に認証部による携帯機の認証が成功しなければ、動作検出センサで検出された所定動作を無視し、無視した所定動作の検出回数が所定回数に達すると、動作検出センサを無効化し、動作検出センサを無効化した後、他の車載装置の制御のために認証部による携帯機の認証が成功すると、動作検出センサを有効化する。
【００１７】
上記によると、動作検出センサに対する、第三者のリレーアタックやイタズラによる意図した動作、または利用者や第三者の意図しない動作により、動作検出センサが所定動作を検出しても、所定時間内に認証部による携帯機の認証が成功しなければ、検出された所定動作が制御部で無視される。そして、無視された所定動作の検出回数が所定回数に達すると、動作検出センサが無効化される。このため、以降は、動作検出センサで利用者の所定動作を検出しないので、動作検出センサで消費される電力を低減することができる。また、動作検出センサによる利用者の所定動作の検出に伴って行われていた、無線通信部の無線通信動作と認証部の認証動作とが、動作検出センサの無効化により行われなくなるので、無線通信部や認証部で消費される電力も低減することができる。従って、動作検出センサ６に対して、意図した動作と意図しない動作のいずれが行われた場合でも、動作検出センサと無線通信部と認証部とで無駄に消費される電力を低減することが可能となる。
【００１８】
本発明では、上記車両制御装置において、制御部は、動作検出センサを無効化するとともに、動作検出センサによる所定動作の検出に伴って行われていた、無線通信部の無線通信動作と認証部の認証動作とを停止してもよい。
【００１９】
また、本発明では、上記車両制御装置において、制御部は、動作検出センサを無効化した後、他の車載装置の制御のための認証が成功することなく、所定の無効化時間が経過すると、動作検出センサを有効化してもよい。
【００２０】
また、本発明では、上記車両制御装置において、無視された所定動作の検出回数が所定回数に達すると警告を行う警告部をさらに備えてもよい。
【００２１】
また、本発明では、上記車両制御装置において、制御部は、無視した所定動作の検出回数が所定回数に達するまでの経過時間を計測し、該経過時間に応じて動作検出センサを無効化する無効化時間を設定してもよい。
【００２２】
さらに、本発明では、上記車両制御装置において、動作検出センサは、車両のドアの外側下方に設置され、利用者の足部の所定動作を非接触で検出し、制御部は、車載装置として、車両のドアを開閉するためのドア開閉装置を制御してもよい。
【発明の効果】
【００２３】
本発明によれば、動作検出センサに対して、意図した動作と意図しない動作のいずれが行われた場合でも、無駄に消費される電力を低減することができる車両制御装置を提供することが可能となる。
【図面の簡単な説明】
【００２４】
【図１】本発明の実施形態による車両制御装置の構成図である。
【図２】図１の車両を示した図である。
【図３】図１の車両制御装置の動作検出無効化処理の手順を示したフローチャートである。
【図４】図１の車両制御装置の動作検出有効化処理の手順を示したフローチャートである。
【図５】図１の車両制御装置の無効化時間設定処理の手順を示したフローチャートである。
【発明を実施するための形態】
【００２５】
以下、本発明の実施形態につき、図面を参照しながら説明する。各図において、同一の部分または対応する部分には、同一符号を付してある。
【００２６】
まず、実施形態による車両制御装置１０の構成を、図１および図２を参照しながら説明する。
【００２７】
図１は、車両制御装置１０の構成図である。図２は、車両制御装置１０が搭載された車両３０を示した図である。図２では、車両３０を上方から見た状態を示している。
【００２８】
図１に示すように、車両制御装置１０は、携帯機２０、スイッチ１１、１２、および車載装置１３〜１９とともに、車両制御システム１００を構成している。このうち、携帯機２０は、車両３０の利用者により携帯され、その他の各部１０〜１９は、車両３０に搭載されている。
【００２９】
図２に示すように、車両３０は、自動四輪車から成る。車両３０には、運転席のドア３１、助手席のドア３２、左右後部座席に対して乗降車するための左右スライドドア３３、３４、および後部の荷台に対して荷物を搬入出するためのバックドア３５が設けられている。そのうち、運転席のドア３１と助手席のドア３２は、手動でしか開閉されないが、スライドドア３３、３４とバックドア３５は、手動だけでなく、自動でも開閉される。
【００３０】
図１に示すように、車両制御装置１０は、制御部１、無線通信部５、および動作検出センサ６を備えている。制御部１は、ＣＰＵとメモリなどから構成されている。制御部１には、後述する認証部１ａと警告部１ｂが設けられている。
【００３１】
無線通信部５は、車室外ＬＦ（Low Frequency；長波）送信部２、車室内ＬＦ送信部３、および車載ＵＨＦ（Ultra High Frequency；極超短波）受信部４から構成されている。
【００３２】
車室外ＬＦ送信部２は、車両３０に複数設置されている。そのうち、車室外ＬＦ送信部２（ＤＲ）は、車両３０の運転席近傍に設置されている。車室外ＬＦ送信部２（ＡＳ）は、車両３０の助手席近傍に設置されている。車室外ＬＦ送信部２（ＢＤ）は、車両３０の後部に設置されている。各車室外ＬＦ送信部２は、ＬＦ送信アンテナ２ａと送信用信号処理部（図示省略）などから構成されている。
【００３３】
本例では、図２に示すように、車室外ＬＦ送信部２（ＤＲ）のＬＦ送信アンテナ２ａ（ＤＲ）は、車両３０の右側面（運転席のドア３１の外側面）に設置されている。車室外ＬＦ送信部２（ＡＳ）のＬＦ送信アンテナ２ａ（ＡＳ）は、車両３０の左側面（助手席のドア３２の外側面）に設置されている。車室外ＬＦ送信部２（ＢＤ）のＬＦ送信アンテナ２ａ（ＢＤ）は、車両３０の後面（バックドア３５の外側面）に設置されている。各車室外ＬＦ送信部２は、送信用信号処理部で生成したＬＦ信号を、ＬＦ送信アンテナ２ａから車室外にある携帯機２０へ送信する。
【００３４】
図１の車室内ＬＦ送信部３は、ＬＦ送信アンテナ３ａと送信用信号処理部（図示省略）などから構成されている。車室内ＬＦ送信部３は、車両３０の車室内に少なくとも１つ設置されている（図示省略）。車室内ＬＦ送信部３は、送信用信号処理部で生成したＬＦ信号を、ＬＦ送信アンテナ３ａから車室内にある携帯機２０へ送信する。
【００３５】
車載ＵＨＦ受信部４は、ＵＨＦ受信アンテナ４ａと受信用信号処理部（図示省略）などから構成されている。車載ＵＨＦ受信部４は、たとえば車両３０の車室内に、少なくとも１つ設置されている。車載ＵＨＦ受信部４は、携帯機２０から送信されたＵＨＦ信号を、ＵＨＦ受信アンテナ４ａと受信用信号処理部により受信する。
【００３６】
車室外ＬＦ送信部２と車室内ＬＦ送信部３が送信するＬＦ信号には、携帯機２０に対する応答要求信号が含まれる。車載ＵＨＦ受信部４が受信するＵＨＦ信号には、携帯機２０から送信された応答信号と遠隔操作信号が含まれる。
【００３７】
制御部１は、無線通信部５のＬＦ送信部２、３と車載ＵＨＦ受信部４を制御して、携帯機２０と無線通信し、携帯機２０に対して信号や情報の送受信を行う。
【００３８】
動作検出センサ６は、静電容量式の近接センサから成り、車両３０のシャーシなどに複数設置されている。本例では、図２に示すように、動作検出センサ６（Ｒ）が、右側スライドドア３３の外側下方に設置されている。動作検出センサ６（Ｌ）は、左側スライドドア３４の外側下方に設置されている。動作検出センサ６（Ｒ）、６（Ｌ）に備わる複数の電極６ａは、車両３０の前後方向に所定の間隔で配列されている。動作検出センサ６（Ｂ）は、バックドア３５の外側下方に設置されている。動作検出センサ６（Ｂ）に備わる複数の電極６ａは、車両３０の左右方向に所定の間隔で配列されている。
【００３９】
各動作検出センサ６は、各電極６ａの出力信号に基づいて、各ドア３３〜３５の開作動または閉作動を要求する利用者による足部の所定動作（ジェスチャ）を非接触で検出する。本例では、所定動作は、利用者が各ドア３３〜３５の開作動または閉作動を要求する際に行う足部のキック動作であって、たとえば、電極６ａと地面との間に対して行われる、足部の挿入・抜去動作や、足部の前後方向または左右方向への振り動作などが含まれる。
【００４０】
図２に示すキック検出領域４４は、各動作検出センサ６が利用者のキック動作を検出可能な範囲である。すなわち、利用者がいずれかのキック検出領域４４でキック動作を行うことで、該キック動作が対応する動作検出センサ６により検出される。
【００４１】
図１に示すように、パッシブリクエストスイッチ１１、電源スイッチ１２、ドアロック装置１３、ドア開閉装置１４、エンジン装置１５、ウェルカム装置１６、バッテリ１７、車両側ＥＣＵ（電子制御装置）１８、および警報装置１９は、それぞれ車両制御装置１０に電気的に接続されている。
【００４２】
パッシブリクエストスイッチ１１は、車両３０のドア３１〜３５を施解・解錠するためのスイッチであり、利用者の手の接近または接触によってオンする。このパッシブリクエストスイッチ１１は、図２に示すように、車両３０の外面に複数設置されている。
【００４３】
本例では、パッシブリクエストスイッチ１１（ＤＲ）は、運転席のドア３１の外ノブ（外側面）に設置されている。パッシブリクエストスイッチ１１（ＡＳ）は、助手席のドア３２の外ノブ（外側面）に設置されている。パッシブリクエストスイッチ１１（ＢＤ）は、バックドア３５の外ノブ（外側面）に設置されている。
【００４４】
図１の電源スイッチ１２は、車両３０の車室内の運転席の近傍に設置されている。電源スイッチ１２は、エンジンを始動・停止するために操作される。制御部１は、各スイッチ１１、１２からの出力信号に基づいて、各スイッチ１１、１２の操作状態を検出する。
【００４５】
ドアロック装置１３は、車両３０の各ドア３１〜３５をそれぞれ施錠・解錠する機構と、該機構の駆動回路から成る。ドア開閉装置１４は、スライドドア３３、３４とバックドア３５をそれぞれ開閉する機構と、該機構の駆動回路から成る。エンジン装置１５は、車両３０のエンジンを始動するためのスタータモータと、該スタータモータの駆動回路などから成る。
【００４６】
ウェルカム装置１６は、利用者を車両３０に迎えるＬＥＤなどの照明と、該照明の点灯・消灯を制御する制御回路から成る。その照明は、車両３０の各ドア３１〜３５の外側近傍に設置されている。バッテリ１７は、車両３０の電源であり、各装置１０〜１６、１８、１９に電力を供給する。
【００４７】
車両側ＥＣＵ１８は、車両３０に複数設置されていて、車両３０の走行系、操作系、および電装系の状態を管理している。警報装置１９は、警報音を発生するホーンまたは警報光を発生する照明と、これらを制御する制御回路から構成されている。車両制御装置１０の警告部１ｂは、警報装置１９を制御して、ホーンから警報音を発生させたり、照明から警報光を発生させたりして、後述する警告を行う。
【００４８】
携帯機２０は、ＦＯＢキーから成る。携帯機２０は、制御部２１、携帯機ＬＦ受信部２２、携帯機ＵＨＦ送信部２３、および操作スイッチ２４を備えている。制御部２１は、ＣＰＵとメモリなどから構成されている。
【００４９】
携帯機ＬＦ受信部２２は、ＬＦ受信アンテナ２２ａと受信用信号処理部（図示省略）などから成る。携帯機ＬＦ受信部２２は、車両制御装置１０から送信されたＬＦ信号を、ＬＦ受信アンテナ２２ａを介して受信する。携帯機ＬＦ受信部２２が受信するＬＦ信号には、前述した応答要求信号が含まれる。
【００５０】
携帯機ＵＨＦ送信部２３は、ＵＨＦ送信アンテナ２３ａと送信用信号処理部（図示省略）などから成る。携帯機ＵＨＦ送信部２３は、送信用信号処理部で生成したＵＨＦ信号を、ＵＨＦ送信アンテナ２３ａから車両制御装置１０へ送信する。携帯機ＵＨＦ送信部２３が送信するＵＨＦ信号には、前述した応答信号が含まれる。
【００５１】
制御部２１は、携帯機ＬＦ受信部２２と携帯機ＵＨＦ送信部２３を制御して、車両制御装置１０と無線通信し、車両制御装置１０に対して信号や情報の送受信を行う。
【００５２】
操作スイッチ２４は、車両３０のドア３１〜３５を施錠・解錠するために操作される。操作スイッチ２４が操作されると、制御部２１がその操作に応じた遠隔操作信号を生成し、該遠隔操作信号を携帯機ＵＨＦ送信部２３により車両制御装置１０へ送信する。つまり、携帯機ＬＦ送信部２３が送信するＵＨＦ信号には、遠隔操作信号も含まれる。
【００５３】
車両制御装置１０と携帯機２０との間で行われる無線通信方式には、ポーリング方式、パッシブエントリ方式、またはキーレスエントリ方式がある。
【００５４】
ポーリング方式の場合は、車両制御装置１０が車室外ＬＦ送信部２により、所定の周期で間欠的に応答要求信号を送信する。携帯機２０を携帯した利用者が車両３０に接近したことで、応答要求信号が携帯機ＬＦ受信部２２により受信されると、携帯機２０の制御部２１が、応答信号を携帯機ＵＨＦ送信部２３により返信する。そして、応答信号が車載ＵＨＦ受信部４により受信されると、車両制御装置１０の制御部１の認証部１ａが、応答信号に含まれる携帯機２０のＩＤコードと、予め記憶された車両制御装置１０のＩＤコードとを照合する。ここで、両ＩＤコードが一致して、認証部１ａが、携帯機２０の認証が成功したと判断すると、制御部１が、応答信号に基づいてウェルカム装置１６またはドアロック装置１３の制御を実行する。
【００５５】
具体的には、携帯機２０を携帯した利用者が、図２に示すウェルカム領域４１に進入して、認証部１ａで携帯機２０の認証が成功した場合は、制御部１がウェルカム装置１６を制御して、利用者を車両３０に迎えるために、照明を点灯する。この後、携帯機２０を携帯した利用者が、図２に示すドア解錠領域４２に進入して、認証部１ａで携帯機２０の認証が成功した場合は、制御部１がドアロック装置１３を制御して、ドア３１〜３５を解錠する。また、携帯機２０を携帯した利用者が、ドア解錠領域４２から退出して、認証部１ａで携帯機２０の認証が成功しなくなった場合は、制御部１がドアロック装置１３を制御して、ドア３１〜３５を施錠する。
【００５６】
上記のように、ウェルカム領域４１は、ウェルカム装置１６が作動する領域である。ドア解錠領域４２は、ドアロック装置１３が作動する領域である。図２に示すように、ドア解錠領域４２はウェルカム領域４１に含まれている。
【００５７】
一方、パッシブエントリ方式の場合は、携帯機２０を携帯した利用者が車両３０に接近して、いずれかのパッシブリクエストスイッチ１１がオンすると、車両制御装置１０の制御部１が、車室外ＬＦ送信部２により応答要求信号を携帯機２０へ送信する。この応答要求信号が携帯機ＬＦ受信部２２により受信されると、携帯機２０の制御部２１が、応答信号を携帯機ＵＨＦ送信部２３から返信する。この応答信号が車載ＵＨＦ受信部４により受信されると、車両制御装置１０の認証部１ａが、応答信号に含まれる携帯機２０のＩＤコードと、車両制御装置１０のＩＤコードとを照合する。そして、両ＩＤコードが一致して、認証部１ａが、携帯機２０の認証が成功したと判断すると、制御部１が、応答信号に基づいてドアロック装置１３を制御して、ドア３１〜３５を解錠または施錠する。
【００５８】
また、キーレスエントリ方式の場合は、利用者が携帯機２０の操作スイッチ２４を操作すると、制御部２１がその操作に応じた遠隔操作信号を携帯機ＵＨＦ送信部２３により送信する。この遠隔操作信号が車両制御装置１０の車載ＵＨＦ受信部４により受信されると、制御部１は、遠隔操作信号に含まれる携帯機２０のＩＤコードと、車両制御装置１０のＩＤコードとの照合を行う。そして、両ＩＤコードが一致して、認証部１ａが、携帯機２０の認証が成功したと判断すると、制御部１が、遠隔操作信号に基づいてドアロック装置１３を制御して、ドア３１〜３５を解錠または施錠する。
【００５９】
ドア３１〜３５の解錠後に、携帯機２０を携帯した利用者がいずれかのキック検出領域４４（図２）でキック動作を行った際も、車両制御装置１０と携帯機２０との間で無線通信動作が行われる。具体的には、車両制御装置１０の車室外ＬＦ送信部２により応答要求信号が送信される。この応答要求信号が携帯機ＬＦ受信部２２により受信されると、携帯機２０の制御部２１が、応答信号を携帯機ＵＨＦ送信部２３から返信する。この応答信号が車載ＵＨＦ受信部４により受信されると、車両制御装置１０の認証部１ａが、応答信号に含まれる携帯機２０のＩＤコードと、車両制御装置１０のＩＤコードとを照合し、両ＩＤコードが一致すると、携帯機２０の認証が成功したと判断する。そして、この携帯機２０の認証結果と、いずれかの動作検出センサ６により検出したキック動作とに基づいて、制御部１が、ドア開閉装置１４を制御して、対応するドア３３〜３５を開作動または閉作動させる。図２に示すように、キック検出領域４４は、ドア解錠領域４２およびウェルカム領域４１に含まれている。
【００６０】
携帯機２０が車両３０の車室内にあるときも、車両制御装置１０と携帯機２０との間で無線通信動作が行われる。具体的には、たとえば、携帯機２０を携帯した利用者が車室内で電源スイッチ１２を操作すると、車両制御装置１０の制御部１が、車室内ＬＦ送信部３および車載ＵＨＦ受信部４により、携帯機２０の携帯機ＬＦ受信部２２および携帯機ＵＨＦ送信部２３と通信して、車両制御装置１０のＩＤコードと携帯機２０のＩＤコードとの照合を行う。そして、両ＩＤコードが一致して、認証部１ａが、携帯機２０の認証が成功したと判断すると、制御部１が、エンジン装置１５を制御して、車両３０のエンジンを始動する。
【００６１】
ところで、動作検出センサ６では、利用者のキック動作を検出し易くするために、その検出範囲をある程度拡げなければならない。この動作検出センサ６の検出範囲は、たとえばパッシブリクエストスイッチ１１のような、近接する検出対象（手など）を検出する近距離検出センサの検出範囲より広くなっている。このため、近距離検出センサの消費電力より、動作検出センサ６の消費電力の方が大きい。
【００６２】
制御部１は、消費電力を低減するため、後述するように動作検出センサ６を無効化する一方、利用者の利便性のため、後述するように動作検出センサ６を有効化する。
【００６３】
本例では、動作検出センサ６を有効化するとは、利用者のキック動作を検出可能なように、動作検出センサ６を稼働させることである。また、動作検出センサ６を無効化するとは、利用者のキック動作を検出しないように、動作検出センサ６を休止させることである。無効化されたときの動作検出センサ６の消費電力は、有効化されたときの動作検出センサ６の消費電力より、極めて小さい（またはほぼゼロである）。
【００６４】
次に、車両制御装置１０の動作を、図３〜図５を参照しながら説明する。
【００６５】
図３は、車両制御装置１０の動作検出無効化処理の手順を示したフローチャートである。本例では、各動作検出センサ６が有効状態にあることを前提とする。
【００６６】
まず、有効状態にある動作検出センサ６のいずれかがキック動作を検出すると（図３のステップＳ１：ＹＥＳ）、車両制御装置１０の制御部１は、車室外ＬＦ送信部２によりポーリング方式で応答要求信号を送信する（図３のステップＳ２）。すなわち、各車室外ＬＦ送信部２から携帯機２０に対して応答要求信号を所定の周期で間欠的に送信し続ける。
【００６７】
車室外ＬＦ送信部２により送信された応答要求信号が携帯機ＬＦ受信部２２により受信されると、携帯機２０の制御部２１が、応答信号を携帯機ＵＨＦ送信部２３により返信する。
【００６８】
車室外ＬＦ送信部２で応答要求信号の送信を開始してから所定時間が経過するまでに（図３のステップＳ５：ＮＯ）、携帯機２０からの応答信号が車載ＵＨＦ受信部４により受信されると（図３のステップＳ３：ＹＥＳ）、認証部１ａが、応答信号に含まれる携帯機２０のＩＤコードと、車両制御装置１０のＩＤコードとを照合し、該照合結果に基づいて携帯機２０の認証を行う（図３のステップＳ４）。
【００６９】
その結果、携帯機２０のＩＤコードと車両制御装置１０のＩＤコードとが一致して、認証部１ａが、携帯機２０の認証が成功したと判断すると（図３のステップＳ４：ＹＥＳ）、制御部１が、動作検出センサ６により検出したキック動作に基づいて、ドア開閉装置１４を制御して、対応するドア３３〜３５を開作動または閉作動させる（図３のステップＳ１０ａ）。
【００７０】
一方、車載ＵＨＦ受信部４により応答信号を受信することなく（図３のステップＳ３：ＮＯ）、所定時間が経過すると（図３のステップＳ５：ＹＥＳ）、制御部１は、動作検出センサ６により検出したキック動作を無視して、該無視したキック動作の動作検出センサ６による検出回数をカウントアップする（図３のステップＳ６）。この場合、動作検出センサ６により検出したキック動作に基づいて、ドア３３〜３５が開作動および閉作動することはない。なお、無視したキック動作の動作検出センサ６による検出回数は、制御部１の内部メモリに設けたカウンタによりカウントされる。
【００７１】
また、車載ＵＨＦ受信部４により応答信号を受信しても（図３のステップＳ３：ＹＥＳ）、該応答信号に含まれる携帯機２０のＩＤコードと、車両制御装置１０のＩＤコードとが一致しなければ、認証部１ａは、携帯機２０の認証が成功しなかったと判断する（図３のステップＳ４：ＮＯ）。このように、認証部１ａによる携帯機２０の認証が成功することなく（図３のステップＳ４：ＮＯ）、所定時間が経過した場合（図３のステップＳ５：ＹＥＳ）、制御部１は、動作検出センサ６により検出したキック動作を無視して、該無視したキック動作の動作検出センサ６による検出回数をカウントアップする（図３のステップＳ６）。この場合も、動作検出センサ６により検出したキック動作に基づいて、ドア３３〜３５が開作動および閉作動することはない。
【００７２】
次に、制御部１は、上記のように無視したキック動作の検出回数が、所定回数に達したか否かを確認する（図３のステップＳ７）。本例では、その所定回数は、２回以上の回数に設定されている。無視したキック動作の検出回数が所定回数に達していなければ（図３のステップＳ７：ＮＯ）、制御部１は、再び動作検出センサ６によりキック動作が検出されるのを待つ（図３のステップＳ１）。
【００７３】
そして、図３のステップＳ１〜Ｓ７を繰り返すことにより、無視したキック動作の検出回数が所定回数に達すると（図３のステップＳ７：ＹＥＳ）、制御部１は、動作検出センサ６の無効化処理を実行する（図３のステップＳ８）。このとき、制御部１は、各動作検出センサ６を無効化するとともに、動作検出センサ６によるキック動作の検出に伴って行われていた、無線通信部５の無線通信動作（図３のステップＳ２およびステップＳ３）と、認証部１ａの認証動作（図３のステップＳ４）とを停止する。
【００７４】
なお、図３のステップＳ８では、動作検出センサ６によるキック動作の検出に伴う、無線通信部５の無線通信動作と認証部１ａの認証動作とが停止されるだけである。よって、前述したウェルカム領域４１やドア解錠領域４２に対する携帯機２０の入出、または前述したエンジンの始動に伴う、無線通信部５の無線通信動作と認証部１ａの認証動作とが停止されることはない。また、携帯機２０の操作スイッチ２４の操作に伴う、無線通信部５の無線通信動作と認証部１ａの認証動作とが停止されることもない。
【００７５】
また、無視したキック動作の検出回数が所定回数に達したため（図３のステップＳ７：ＹＥＳ）、警告部１ｂが警報装置１９を制御して、車両３０の近傍にいる利用者または第三者に対する警告を実行する（図３のステップＳ９）。具体的には、警報装置１９に含まれるホーンから警報音を発生させたり、照明から警報光を発生させたりする。これは、動作検出センサ６が無効化されたことを警告したり、意図しないキック動作または悪意やイタズラによる意図したキック動作を止めるように警告したりするために行われる。
【００７６】
上記の警告中または警告後に、制御部１が、無視したキック動作の動作検出センサ６による検出回数をリセットする（図３のステップＳ１０）。
【００７７】
図４は、車両制御装置１０の動作検出有効化処理の手順を示したフローチャートである。本例では、各動作検出センサ６が無効状態にあることを前提とする。
【００７８】
まず、車両制御装置１０の制御部１は、各動作検出センサ６を無効化してから、予め設定した無効化時間が経過したか否かを確認する（図４のステップＳ１１）。このとき、無効化時間が経過していなければ（図４のステップＳ１１：ＮＯ）、制御部１は、ドア開閉装置１４以外の車載装置１３、１５、１６の制御のために、認証部１ａによる携帯機２０の認証が成功したか否かを確認する（図４のステップＳ１２）。
【００７９】
無効化時間が経過するまでに（図４のステップＳ１１：ＮＯ）、ポーリング方式、パッシブエントリ方式、またはキーレス方式のいずれかで、ウェルカム装置１６、ドアロック装置１３、またはエンジン装置１５のいずれかを制御するために、認証部１ａによる携帯機２０の認証が成功すると（図４のステップＳ１２：ＹＥＳ）、制御部１は、動作検出センサ６の有効化処理を実行する（図４のステップＳ１３）。このとき、制御部１は、各動作検出センサ６を有効化するとともに、動作検出センサ６によるキック動作の検出に伴う無線通信部５の無線通信動作と認証部１ａの認証動作とを再開する。
【００８０】
また、ドア開閉装置１４以外の車載装置１３、１５、１６の制御のために、認証部１ａによる携帯機２０の認証が成功することなく（図４のステップＳ１２：ＮＯ）、無効化時間が経過すると（図４のステップＳ１１：ＹＥＳ）、この場合も、制御部１は、動作検出センサ６の有効化処理を実行する（図４のステップＳ１３）。
【００８１】
図５は、車両制御装置１０の無効化時間設定処理の手順を示したフローチャートである。本例では、各動作検出センサ６が有効状態にあることを前提とする。
【００８２】
図５の無効化時間設定処理は、図３の動作検出無効化処理と並行して実行される。図５の無効化時間設定処理では、図４のステップＳ１１で参照する無効化時間が設定（更新）される。図５の無効化時間設定処理で無効化時間が設定される前は、無効化時間は所定の初期値に設定されている。なお、図５のステップＳ２１、Ｓ２３、Ｓ２５の処理は、それぞれ、図３のステップＳ１、Ｓ４、Ｓ７の処理と同一である。
【００８３】
まず、有効状態にある動作検出センサ６のいずれかによりキック動作を検出すると（図５のステップＳ２１：ＹＥＳ）、車両制御装置１０の制御部１は、タイマをスタートする（図５のステップＳ２２）。タイマは、制御部１の内部メモリに設けられていて、キック動作を検出してからの経過時間を計測する。
【００８４】
そして、前述したように、動作検出センサ６によるキック動作の検出に伴う認証部１ａによる携帯機２０の認証が成功すると（図５のステップＳ２３：ＹＥＳ）、制御部１は、タイマをストップした後リセットする（図５のステップＳ２４）。これにより、タイマの計測時間がクリアされる。また、無効化時間は設定（更新）されない。
【００８５】
一方、認証部１ａによる携帯機２０の認証が成功しなければ（図５のステップＳ２３：ＮＯ）、制御部１は、図３のステップＳ６でカウントアップされた、無視したキック動作の検出回数を確認する。ここで、無視したキック動作の検出回数が所定回数に達していると（図５のステップＳ２５：ＹＥＳ）、制御部１は、タイマをストップする（図５のステップＳ２６）。そして、制御部１は、このときのタイマの計測時間、すなわち無視したキック動作の検出回数が所定回数に達するまでの経過時間に応じて、無効化時間を設定（更新）する（図５のステップＳ２７）。この後、制御部１は、タイマをリセットする（図５のステップＳ２８）。
【００８６】
無効化時間は、種々のケースを想定して設定することができる。たとえば、悪意ある第三者が短時間に何度もキック動作を行った場合は、タイマの計測時間が短くなる。この場合を想定して、図５のステップＳ２７では、タイマの計測時間が短い程、無効化時間を長く設定する。これにより、悪意ある第三者の意図したキック動作が動作検出センサ６により検出され難くなり、消費電力が低減される。
【００８７】
また、たとえば、動作検出センサ６の近傍を通行人が何度か通過した場合は、タイマの計測時間が長くなる。この場合を想定して、図５のステップＳ２７では、タイマの計測時間が長い程、無効化時間を短く設定する。これにより、無効化された動作検出センサ６が短時間で有効化されるため、正規利用者の意図したキック動作の検出に影響が及ぶのを回避することができる。
【００８８】
その他、図５のステップＳ２７では、上記以外の種々のケースを想定して、タイマの計測時間が長い程、無効化時間を長く設定したり、タイマの計測時間が短い程、無効化時間を短く設定したりしてもよい。
【００８９】
このように、図５のステップＳ２７でタイマの計測時間に応じた無効化時間が設定されると、該無効化時間が、その後実行される図４の動作検出有効化処理のステップＳ１１で参照される。
【００９０】
以上の実施形態によると、動作検出センサ６に対する、第三者のリレーアタックやイタズラによる意図した動作や、車両３０の利用者や第三者の意図しない動作により、動作検出センサ６がキック動作を検出しても、所定時間内に認証部１ａによる携帯機２０の認証が成功しなければ、検出されたキック動作が車両制御装置１０の制御部１で無視される。そして、無視されたキック動作の検出回数が所定回数に達すると、動作検出センサ６が無効化される。このため、以降は、動作検出センサ６で利用者のキック動作を検出しないので、動作検出センサ６で消費される電力を低減することができる。また、動作検出センサ６によるキック動作の検出に伴って行われていた、無線通信部５の携帯機２０との無線通信動作と、認証部１ａの携帯機２０の認証動作とが、動作検出センサ６の無効化により行われなくなるので、無線通信部５や認証部１ａで消費される電力も低減することができる。従って、動作検出センサ６に対して、意図した動作と意図しない動作のいずれが行われた場合でも、動作検出センサ６と無線通信部５と認証部１ａとで無駄に消費される電力を低減することが可能となる。
【００９１】
また、以上の実施形態では、制御部１が、動作検出センサ６を無効化するとともに、動作検出センサ６によるキック動作の検出に伴って行われていた、無線通信部５の無線通信動作と認証部１ａの認証動作とを停止する。このため、動作検出センサ６と無線通信部５と認証部１ａとで無駄に消費される電力を確実に低減することが可能となる。
【００９２】
また、以上の実施形態では、制御部１が、動作検出センサ６を無効化した後、無効化時間が経過したときに、動作検出センサ６を有効化する。また、無効化時間が経過する前でも、ドア開閉装置１４以外の車載装置１３、１５、１６の制御のために、認証部１ａにより携帯機２０の認証が成功したときは、制御部１が、動作検出センサ６を即座に有効化する。このため、利用者の意図したキック動作を動作検出センサ６により検出することができる。そして、有効状態の動作検出センサ６によるキック動作の検出に加えて、認証部１ａによる携帯機２０の認証が成功することで、ドア開閉装置１４により、ドア３３〜３５を開いたり閉じたりすることができる。
【００９３】
また、以上の実施形態では、制御部１が無視したキック動作の検出回数が所定回数に達すると、警告部１ｂが警報装置１９により警告を行う。このため、第三者がリレーアタックやイタズラを目的として、動作検出センサ６に対して意図的にキック動作を行ったり、利用者や第三者が意図せずに動作検出センサ６に足を近づけたりしても、警報装置１９による警告でそれらの動作を止めるように促すことができる。また、動作検出センサ６が無効化されたことを、警報装置１９による警告で車両３０の利用者などに知らせることができる。
【００９４】
さらに、以上の実施形態では、制御部１が、無視したキック動作の検出回数が所定回数に達するまでの経過時間をタイマにより計測し、該経過時間に応じて動作検出センサ６を無効化する無効化時間を設定する。つまり、無視したキック動作の検出回数が所定回数に達するまでの経過時間に応じて、無効化時間が変更される。このため、たとえば、無視したキック動作の検出回数が所定回数に達するまでの経過時間が長い場合に、無効化時間を短く設定して、動作検出センサ６を早く有効状態に戻し、利用者の意図したキック動作を動作検出センサ６により検出することができる。または、たとえば、無視したキック動作の検出回数が所定回数に達するまでの経過時間が短い場合に、無効化時間を長く設定して、悪意ある第三者の意図したキック動作を排除しつつ、動作検出センサ６と無線通信部５と認証部１ａとで無駄に消費される電力をより低減することができる。
【００９５】
本発明は、上述した以外にも種々の実施形態を採用することができる。たとえば、以上の実施形態では、複数の動作検出センサ６を同時に有効化または無効化した例を示したが、本発明はこれのみに限定するものではない。複数の動作検出センサ６の有効化または無効化するタイミングを異ならせてもよい。また、たとえば、携帯機２０の認証が成功しないキック動作が行われた動作検出センサ６だけを無効化し、その他の動作検出センサ６を有効状態のままにしてもよい。
【００９６】
また、以上の実施形態では、動作検出センサ６を休止させ続けることで無効化した例を示したが、本発明はこれのみに限定するものではない。これ以外に、たとえば、動作検出センサ６を間欠的に休止させて、休止時間を稼働時間より大幅に長くすることで、動作検出センサ６を実質的に無効化させてもよい。
【００９７】
また、以上の実施形態では、動作検出センサ６を無効化する無効化時間を、無視したキック動作の検出回数が所定回数に達するまでの経過時間に応じて変更した例を示したが、無効化時間は一定にしてもよい。
【００９８】
また、以上の実施形態では、動作検出センサ６によりキック動作を検出してから、車両制御装置１０と携帯機２０とが無線通信して、認証部１ａによる携帯機２０の認証が行われた例を示したが、本発明はこれのみに限定するものではない。これ以外に、動作検出センサ６によりキック動作を検出する前に、車両制御装置１０と携帯機２０とが無線通信して、認証部１ａによる携帯機２０の認証が行われた結果を、動作検出センサ６によりキック動作を検出した後に参照して、ドアの開閉を実行するか否かを判断してもよい。
【００９９】
また、以上の実施形態では、警報装置１９に含まれるホーンから警報音を発生させたり照明から警報光を発生させたりして、警告を行った例を示したが、本発明はこれのみに限定するものではない。これ以外に、たとえば、車両に設けたスピーカから警告音声を発生させたり、車両側ＥＣＵ１８や携帯機２０に対して警告信号を発信したりするような、警告を行ってもよい。この場合、たとえば、警告信号を受信した車両側ＥＣＵ１８は、該受信の旨や動作検出センサ６が無効化された旨を保守情報として内部メモリに記憶したり、車載ディスプレイに表示したりする。また、たとえば、警告信号を受信した携帯機２０は、該受信の旨や動作検出センサ６が無効化された旨を、携帯機に備わるディスプレイやＬＥＤなどの表示部に表示する。
【０１００】
また、以上の実施形態では、利用者が行う所定動作として足のキック動作を例に挙げたが、本発明はこれのみに限定するものではない。たとえば、利用者の手の動作や腕の動作などを所定動作として、動作検出センサ６により検出してもよい。
【０１０１】
また、以上の実施形態では、動作検出センサ６で利用者のキック動作を検出し、かつ認証部１ａで携帯機２０の認証が成功した場合に、ドア開閉装置１４を制御して、ドア３３〜３５を開作動・閉作動する例を挙げたが、制御対象は、ドア開閉装置１４以外の他の車載装置であってもよい。
【０１０２】
さらに、以上の実施形態では、自動四輪車用の車両制御装置１０に本発明を適用した例を挙げたが、たとえば自動二輪車や大型自動車などの他の車両用の車両制御装置に対しても、本発明を適用することは可能である。
【符号の説明】
【０１０３】
１  制御部
１ａ  認証部
１ｂ  警告部
５  無線通信部
６  動作検出センサ
１０  車両制御装置
１３  ドアロック装置（他の車載装置）
１４  ドア開閉装置（車載装置）
１５  エンジン装置（他の車載装置）
１６  ウェルカム装置（他の車載装置）
２０  携帯機
３０  車両
３３  右側スライドドア
３４  左側スライドドア
３５  バックドア
【図１】
0006625913.tif 000002
【図２】
0006625913.tif 000003
【図３】
0006625913.tif 000004
【図４】
0006625913.tif 000005
【図５】
0006625913.tif 000006